(57)【要約】【課題】コンソールドロアのスライドレールの中間固定用のバネの位置を自由に変えることができるコンソールドロアを提供することである。【解決手段】コンソールドロア１の一対のスライド部４は、一対のスライド部４を覆うように配置されたスライドカバー１１をそれぞれ有している。コンソールドロア１は、ベースプレート７とスライドカバー１１に、スライド移動部３のスライドを停止する固定ロック機構１２を有している。固定ロック機構１２は、ベースプレート７に配置される１以上の可動部１３と、スライドカバー１１に設けられる凹部１４と有する。可動部１３は、凹部１４と係合する凸部１５を有し、モニタ１０が、第２位置９から第１位置８に回動する際に、スライドカバー１１の方向に回動するように付勢されていて、スライドカバー１１の凹部１４と可動部１３の凸部１５が係合することにより、スライド移動部３の移動が停止するよう構成されている。【選択図】図２
2009104398.tif 000002
【特許請求の範囲】
【請求項１】
対向する一対のスライド固定部と、前記スライド固定部上をスライドする一対のスライド移動部とを有する一対のスライド部と、前記一対のスライド移動部の前記一対のスライド固定部から離れた端部を連結する、前記一対のスライド移動部から略垂直に延びるフロントプレートと、前記一対のスライド移動部と前記フロントプレートとに囲まれた空間を保持して、開口するように、前記一対のスライド移動部と前記フロントプレートに接続される、ベースプレートと、前記フロントプレートと略平行となる、第１位置と、前記ベースプレートと略平行となる、第２位置の間を回動可能にされたモニタと、を有する、コンソールドロアであって、
前記一対のスライド部は、該一対のスライド部を覆うように配置されたスライドカバーをそれぞれ有し、
前記ベースプレートと前記スライドカバーに、前記スライド移動部のスライドを停止する固定ロック機構を更に有し、
該固定ロック機構は、前記ベースプレートに配置される１以上の可動部と、前記スライドカバーに設けられる凹部と有し、前記可動部は、前記凹部と係合する凸部を有し、前記モニタが、前記第２位置から前記第１位置に回動する際に、前記スライドカバーの方向に回動するように付勢されていて、前記スライドカバーの凹部と前記可動部の凸部が係合することにより、前記スライド移動部の移動が停止する、
ことを特徴とするコンソールドロア。
【請求項２】
対向する一対のスライド固定部と、該一対のスライド固定部上をスライドする一対のスライド移動部とを有する一対のスライド部と、前記一対のスライド移動部の前記スライド固定部から離れた端部を連結する、前記一対のスライド移動部から略垂直に延びるフロントプレートと、前記一対のスライド移動部と前記フロントプレートとに囲まれた空間を保持して、開口するように、前記一対のスライド移動部と前記フロントプレートに接続される、ベースプレートと、前記フロントプレートと略平行となる、第１位置と、前記ベースプレートと略平行となる、第２位置の間を回動可能にされたモニタと、を有する、コンソールドロアであって、
前記スライド移動部のスライドを停止する固定ロック機構を前記一対のスライド部の一方に有し、
前記固定ロック機構は、前記スライド固定部に配置される固定部と、前記スライド移動部に配置される、操作部と回転部と、を有し、前記操作部は、前記回転部の回転中心から偏心した位置に取り付けられており、
前記回転部には、前記スライド移動部をスライドすることにより、前記固定部と衝突する複数の突出部を有しており、
前記操作部は、前記スライド移動部が前記スライド固定部から離れるようにスライドする方向に、前記スライド移動部から突出しており、前記操作部を押すことにより、前記回転部を回転させて、前記固定部と前記複数の突出部とが衝突しないようにして、前記固定ロック機構のロックを解除し、または前記操作部を引くことにより、前記回転部を回転させて、前記固定部と前記複数の突出部とが衝突しないようにして、固定ロック機構のロックを解除する、
ことを特徴とするコンソールドロア。
【請求項３】
対向する一対のスライド固定部と、前記一対のスライド固定部上をスライドする一対のスライド移動部とを有する一対のスライド部と、該一対のスライド移動部の前記一対のスライド固定部から離れた端部を連結する、前記一対のスライド移動部から略垂直に延びるフロントプレートと、前記一対のスライド移動部と前記フロントプレートとに囲まれた空間を保持して、開口するように、前記一対のスライド移動部と前記フロントプレートに接続される、ベースプレートと、前記フロントプレートと略平行となる、第１位置と、前記ベースプレートと略平行となる、第２位置の間を回動可能にされたモニタと、を有する、コンソールドロアであって、
前記モニタは、該モニタを前記第２位置から前記第１位置まで自動的に回動するように付勢された一対のヒンジ部を有し、前記フロントプレートは、前記モニタを前記ベースプレートに固定するロック部と、前記モニタの前記ベースプレートへの固定を解除するスイッチ部と、を有する、
ことを特徴とする、コンソールドロア。
【請求項４】
対向する一対のスライド固定部と、前記一対のスライド固定部上をスライドする一対のスライド移動部とを有する一対のスライド部と、該一対のスライド移動部の前記スライド固定部から離れた端部を連結する、前記一対のスライド移動部から略垂直に延びるフロントプレートと、前記一対のスライド移動部と前記フロントプレートとに囲まれた空間を保持して、開口するように、前記一対のスライド移動部と前記フロントプレートに接続される、ベースプレートと、前記一対のスライド固定部の前記スライド移動部から離れた端部を連結する、前記一対のスライド固定部から略垂直に延びるバックプレートと、を有するコンソールドロアであって、
前記ベースプレートと、前記バックプレートとを繋ぐケーブルを支える３以上のケーブルキャリア部を有し、第１ケーブルキャリア部の第１端部は、前記ベースプレートに接続され、第２ケーブルキャリア部の第１端部は、前記バックプレートに接続され、前記第１ケーブルキャリア部の第２端部と、前記第２ケーブルキャリア部の第２端部は、他のケーブルキャリア部、または他の接続された１以上のケーブルキャリア部の第１端部および第２端部にそれぞれ接続されており、
前記他のケーブルキャリア部、または前記他の接続された１以上のケーブルキャリア部は、前記ケーブルを載せるケーブルキャリア面と、該ケーブルキャリア面の端部から垂直に伸び、前記ケーブルと略平行に伸びる対向する側面を有し、
対向する側面の少なくとも一つは、前記ケーブルの屈曲部の近傍以外の部分に、側面を有する、
ことを特徴とする、コンソールドロア。
【発明の詳細な説明】
【技術分野】
【０００１】
本発明は、コンソールドロアに関する。
【背景技術】
【０００２】
コンソールドロアは、ラックに複数のサーバユニットと共に組み込まれる、サーバ装置の一部であり、スライド可能な一対のスライドレールの間にモニタが配置されている。一対のスライドレールをラックから引き出した状態で、モニタを使用することが可能となり、モニタを使用しながら複数のサーバを制御する装置である。コンソールドロアのモニタの表示を適正な位置にするため、コンソールドロアのスライドレールに中間固定用のバネが取り付けられている。モニタを開いたり、閉じたりする場合にはモニタを最大にスライドさせる必要があるが、中間固定用のバネがロックしてしまい、その度に手動でロックを解除する必要があった。しかし、スライドレールに中間固定用のバネが取り付けられているために、操作が困難であった。また、スライドレールに中間固定用のバネを取り付けているが、中間固定用のバネの位置を変えることができないため、サーバーラックやコンソールドロアの上下に配置している機器が変わったときなど、その機器が邪魔をしてモニタの表示を適正な位置にすることが出来なかった。更に、自動ロック解除方式のスライドレールだと、構造上十分な保持力を確保できず、不意の動作でコンソールドロアを誤って収納してしまうおそれがあった。
【０００３】
従来、コントロールドロアの技術分野ではないが、車両搭載用の表示装置の分野で上記と同様の問題を解決するためにさまざまな手段が講じられている。例えば、特許文献１は、表示パネルと、この表示パネルの角度を変えるための角度変更装置を有する車両搭載用の表示装置を開示している。角度変更装置は、スライド板と中間角度保持機構を備えていて、スライド板が中間角度位置にくると、本体に取り付けられている板バネが、スライド板に形成されている、板バネ係合孔にはまるようになっている。そして、中間角度位置に保持されている表示パネルを手動で動かして、中間角度位置に保持されているスライド板を前方又は後方に軽くスライドさせれば、この中間位置における保持が簡単に解除されるようになっている。この構成によれば、表示パネルを手動で動かせば、中間角度位置の保持が解除されるので、中間角度位置保持用の板バネを直接指で触って保持を解除する必要がなく、複雑な操作から解放される。
【０００４】
特許文献２は、スライドレールロック金具を有した可動レールに搭載された、スライドレールロック解除機構を有するユニット、を開示している。スライドレールロック解除機構が独立した機構部品であるため、スライドレールロック金具の真上に取り付けることができる。このスライドレールロック解除機構内に、スライドレールロック解除レバーが、ユニットの摺動方向に対して平行に回転するように設けられている。これにより、スライドレールロック解除レバーを回転させることで、スライドレールロックを解除することが出来る。また、スライドレールロック解除レバーは、ユニットの摺動方向に平行に回転することが出来るので、収納されるユニットの摺動によりスライドレールロック解除前の位置に復帰することができる。この構成によれば、スライドレールロック解除レバーを手動で動かせば、スライドレールのロックが解除されるので、スライドレールロック金具を直接指で触ってロックを解除する必要がなく、複雑な操作から解放される。
【０００５】
更に、従来のコンソールドロアは、コンソールドロアのモニタのハンドルを引き上げて、手動でモニタを開かなければならず、自動でモニタを開くことができないという問題があった。
【０００６】
コンソールドロアの技術分野ではないが、携帯式電子機器の分野において自動的に蓋（フリップ）が開く携帯電話が開示されている。特許文献３の携帯電話は、本体部とフリップとを有し、本体部とフリップとが合わさった閉塞状態からフリップを例えば１２０度まで回動した開放状態（通話位置）とすることができる構造のヒンジ装置を有している。この構成によれば、回動がロックされた閉塞状態において、ロック解除操作部を押し操作すると、フリップが自動的に例えば２０度だけ回動して停止し、回動がロックされる開放状態となる位置までは、手でフリップを回動することができ、しかも、このフリップから手を放すと、その放した位置でフリップは停止し、ふらつくことがないフリーストップ状態を実現する携帯電話を提供できる。
【０００７】
また、コンソールドロアには以下の問題点があった。コンソールドロアのフロント部とリア部間を繋ぐケーブルは、ケーブルキャリア（ケーブルを支える構造物）によって支えられている。そのケーブルキャリア部分は、ケーブルの屈曲動作の繰り返しによるケーブル断線を防ぐために、ケーブルの屈曲部分の半径が小さくならないようにする必要があった。そのため、ケーブルキャリアの形状は、屈曲部分が１箇所の「くの字」形状となり、横幅寸法を大きく取る必要があった。また、ケーブルキャリアの横幅が大きいことにより、リア部分に収納されている電源等の実装位置が移動できず、そのためコンソールドロアの奥行き寸法を短く出来ないという問題があった。
【０００８】
コンソールドロアの技術分野ではないが、電子筐体を有する電子機器装置の分野においてもケーブルキャリアが使用されている。特許文献４のケーブルキャリアは、屈曲自在の弾性ある薄板を有する。ケーブルを薄板上に載せた状態で、薄板に必要な数だけのケーブルガイドをケーブルガイドの薄板案内溝に沿って入れることで、ケーブルを保持する。薄板の両端は固定金具により、それぞれ電子筐体および引き出し可能なユニットに取り付ける。複数のケーブルガイドが薄板上に配置されているので、一定の角度以上ケーブルは曲がらず、ケーブルには一定以上の曲げ付加がかからない。この構成によれば、ケーブルの屈曲部分の半径が小さいケーブルキャリアを提供できる。
【０００９】
【特許文献１】特開２００４−１０１８３２号公報
【特許文献２】特開平６−１０５５０号公報
【特許文献３】特開２００２−２２７８３２号公報
【特許文献４】特開２００３−２４４８３１号公報
【発明の開示】
【発明が解決しようとする課題】
【００１０】
特許文献１に記載されている技術では、表示パネルの角度変更装置は、スライド板と中間角度保持機構を備えていて、スライド板が中間角度位置にくると、本体に取り付けられている板バネが、スライド板に形成されている、板バネ係合孔にはまるようになっている。しかし、本体に取り付けられている板バネの位置を変えることができないため、この技術をコンソールドロアに用いたとしてもサーバーラックやコンソールドロアの上下に配置している機器が変わったときなど、その機器が邪魔をしてモニタの表示を適正な位置にすることが出来ないと共に、自動ロック解除方式のスライド板なので、構造上十分な保持力を確保できず、不意の動作でコンソールドロアを誤って収納してしまうおそれがある。
【００１１】
特許文献２に記載されている技術では、スライドレールロック金具を有するユニットに独立した機構部品として、スライドレールロック解除機構がある。この技術をコンソールドロアに用いても、モニタを最大にスライドする度にスライドレールがロックされ、その都度、スライドレールロック金具のすぐ側にあるスライドロック機構を指で動かして解除する必要があった。
【００１２】
特許文献３に記載されている技術では、本体部とフリップとが合わさった閉塞状態からフリップを例えば１２０度まで回動した開放状態（通話位置）とすることができる。この技術をコンソールドロアに用いると、モニタを自動で開くことができるが、携帯電話に比べてモニタモニタは、大きいため、機構自体を大きくしなければならす、コストがかかると共に、この機構は内蔵式のものであるため、既存のモニタに簡単に装着できないという問題点がある。
【００１３】
特許文献４に記載されている技術では、ケーブルを薄板上に載せた状態で、薄板に必要な数だけのケーブルガイドをケーブルガイドの薄板案内溝に沿って入れることで、ケーブルを保持する。この技術をコンソールドロアに用いると、屈曲部の半径が小さいケーブルキャリアを提供できるが、多くのケーブルガイドを設ける必要があり、部品点数が増えるために、部品のコストが増すと共に、組み立て時間も増すために製造コストが増すおそれがある。
【００１４】
本発明の目的は、コンソールドロアのスライドレールの中間固定用のバネの位置を自由に変えることができるコンソールドロアを提供することである。
【００１５】
本発明の他の目的は、コンソールドロアのスライドレールの中間固定用のバネのロックを、直接指を使わずに解除するコンソールドロアを提供することである。
【００１６】
本発明の更に他の目的は、モニタを自動で開くことができるコンソールドロアを提供することである。
【００１７】
本発明の更に他の目的は、ケーブルの屈曲部分の半径の小さいコンソールドロアを提供することである。
【課題を解決するための手段】
【００１８】
上記目的を達成するために、本発明によれば以下のような特徴を有するコンソールドロアが提供される。
【００１９】
請求項１に記載の発明では、対向する一対のスライド固定部と、スライド固定部上をスライドする一対のスライド移動部とを有する一対のスライド部と、一対のスライド移動部の一対のスライド固定部から離れた端部を連結する、一対のスライド移動部から略垂直に延びるフロントプレートと、一対のスライド移動部とフロントプレートとに囲まれた空間を保持して、開口するように、一対のスライド移動部とフロントプレートに接続される、ベースプレートと、フロントプレートと略平行となる、第１位置と、ベースプレートと略平行となる、第２位置の間を回動可能にされたモニタと、を有する、コンソールドロアであって、一対のスライド部は、一対のスライド部を覆うように配置されたスライドカバーをそれぞれ有し、ベースプレートとスライドカバーに、スライド移動部のスライドを停止する固定ロック機構を更に有し、固定ロック機構は、ベースプレートに配置される１以上の可動部と、スライドカバーに設けられる凹部と有し、可動部は、凹部と係合する凸部を有し、モニタが、第２位置から第１位置に回動する際に、スライドカバーの方向に回動するように付勢されていて、スライドカバーの凹部と可動部の凸部が係合することにより、スライド移動部の移動が停止することを特徴とする。
【００２０】
請求項２に記載の発明では、対向する一対のスライド固定部と、一対のスライド固定部上をスライドする一対のスライド移動部とを有する一対のスライド部と、一対のスライド移動部のスライド固定部から離れた端部を連結する、一対のスライド移動部から略垂直に延びるフロントプレートと、一対のスライド移動部とフロントプレートとに囲まれた空間を保持して、開口するように、一対のスライド移動部とフロントプレートに接続される、ベースプレートと、フロントプレートと略平行となる、第１位置と、ベースプレートと略平行となる、第２位置の間を回動可能にされたモニタと、を有する、コンソールドロアであって、スライド移動部のスライドを停止する固定ロック機構を一対のスライド部の一方に有し、固定ロック機構は、スライド固定部に配置される固定部と、スライド移動部に配置される、操作部と回転部と、を有し、操作部は、回転部の回転中心から偏心した位置に取り付けられており、回転部には、スライド移動部をスライドすることにより、固定部と衝突する複数の突出部を有しており、操作部は、スライド移動部がスライド固定部から離れるようにスライドする方向に、スライド移動部から突出しており、操作部を押すことにより、回転部を回転させて、固定部と複数の突出部とが衝突しないようにして、固定ロック機構のロックを解除し、または操作部を引くことにより、回転部を回転させて、固定部と複数の突出部とが衝突しないようにして、固定ロック機構のロックを解除する、ことを特徴とする。
【００２１】
請求項３に記載の発明では、対向する一対のスライド固定部と、一対のスライド固定部上をスライドする一対のスライド移動部とを有する一対のスライド部と、一対のスライド移動部の一対のスライド固定部から離れた端部を連結する、一対のスライド移動部から略垂直に延びるフロントプレートと、一対のスライド移動部とフロントプレートとに囲まれた空間を保持して、開口するように、一対のスライド移動部とフロントプレートに接続される、ベースプレートと、フロントプレートと略平行となる、第１位置と、ベースプレートと略平行となる、第２位置の間を回動可能にされたモニタと、を有する、コンソールドロアであって、モニタは、モニタを第２位置から第１位置まで自動的に回動するように付勢された一対のヒンジ部を有し、フロントプレートは、モニタをベースプレートに固定するロック部と、モニタのベースプレートへの固定を解除するスイッチ部と、を有する、ことを特徴とする。
【００２２】
請求項４に記載の発明では、対向する一対のスライド固定部と、一対のスライド固定部上をスライドする一対のスライド移動部とを有する一対のスライド部と、一対のスライド移動部のスライド固定部から離れた端部を連結する、一対のスライド移動部から略垂直に延びるフロントプレートと、一対のスライド移動部とフロントプレートとに囲まれた空間を保持して、開口するように、一対のスライド移動部とフロントプレートに接続される、ベースプレートと、一対のスライド固定部のスライド移動部から離れた端部を連結する、一対のスライド固定部から略垂直に延びるバックプレートと、を有するコンソールドロアであって、ベースプレートと、バックプレートとを繋ぐケーブルを支える３以上のケーブルキャリア部を有し、第１ケーブルキャリア部の第１端部は、ベースプレートに接続され、第２ケーブルキャリア部の第１端部は、バックプレートに接続され、第１ケーブルキャリア部の第２端部と、第２ケーブルキャリア部の第２端部は、他のケーブルキャリア部、または他の接続された１以上のケーブルキャリア部の第１端部および第２端部にそれぞれ接続されており、他のケーブルキャリア部、または他の接続された１以上のケーブルキャリア部は、ケーブルを載せるケーブルキャリア面と、ケーブルキャリア面の端部から垂直に伸び、ケーブルと略平行に伸びる対向する側面を有し、対向する側面の少なくとも一つは、ケーブルの屈曲部の近傍以外の部分に、側面を有する、ことを特徴とする。
【発明の効果】
【００２３】
請求項１の発明によれば、一対のスライド部は、一対のスライド部を覆うように配置されたスライドカバーをそれぞれ有し、ベースプレートとスライドカバーに、スライド移動部のスライドを停止する固定ロック機構を更に有し、固定ロック機構は、ベースプレートに配置される１以上の可動部と、スライドカバーに設けられる凹部と有し、可動部は、凹部と係合する凸部を有し、モニタが、第２位置から第１位置に回動する際に、スライドカバーの方向に回動するように付勢されていて、スライドカバーの凹部と可動部の凸部が係合することにより、スライド移動部の移動が停止するので、モニタがモニタ第１位置に移動しない限り、固定ロック機構が有効にならないので、スライド移動部を引き出すときに必ずロックされるという煩わしさがなく、スライド時の操作性を向上することができる。更に、固定ロック機構のＯＮ/ＯＦＦは、モニタの開閉によって行うので、複雑な操作が不要となる。また、サーバーラックやコンソールドロアの上下に配置している機器が変わったときなどには、固定ロック機構の可動部の位置を変えるだけで、モニタの表示を適正な位置にすることが可能となる。更に、自動ロック解除方式のスライド部ではないので、構造上十分な保持力を確保できると共に、モニタを閉じないとコンソールドロアが収納できないので、不意の動作でコンソールドロアを誤って収納するおそれがない。
【００２４】
請求項２の発明によれば、スライド移動部のスライドを停止する固定ロック機構を一対のスライド部の一方に有し、固定ロック機構は、スライド固定部に配置される固定部と、スライド移動部に配置される、操作部と回転部と、を有し、操作部は、回転部の回転中心から偏心した位置に取り付けられており、回転部には、スライド移動部をスライドすることにより、固定部と衝突する複数の突出部を有しており、操作部は、スライド移動部がスライド固定部から離れるようにスライドする方向に、スライド移動部から突出しており、操作部を押すことにより、回転部を回転させて、固定部と複数の突出部とが衝突しないようにして、固定ロック機構のロックを解除し、または操作部を引くことにより、回転部を回転させて、固定部と複数の突出部とが衝突しないようにして、固定ロック機構のロックを解除する。従って、操作部を押す、または引くことにより、固定ロック機構を解除することができるので、スライド移動部を引き出すときにロックされても、操作部を押すまたは引くだけで簡単に固定ロック機構を解除することができる。更に、固定ロック機構は、スライド移動部とスライド固定部の内部にあるので、複雑な操作をする必要がない。更に、自動ロック解除方式のスライド部ではないので、構造上十分な保持力を確保でき、不意の動作でコンソールドロアを誤って収納するおそれがない。
【００２５】
請求項３の発明によれば、モニタは、モニタを第２位置から第１位置まで自動的に回動するように付勢された一対のヒンジ部を有し、フロントプレートは、モニタをベースプレートに固定するロック部と、モニタのベースプレートへの固定を解除するスイッチ部と、を有するので、スイッチ部を押すだけで、簡単にモニタを第２位置から第１位置まで開くことができる。更に、モニタには、第１位置に回動しようとする力が常に働いているので、モニタを第２位置に移動するように力を加えても、モニタの下に配置されるキーボード部に負荷がかかりにくい。
【００２６】
請求項４の発明によれば、ベースプレートと、バックプレートとを繋ぐケーブルを支える３以上のケーブルキャリア部を有し、第１ケーブルキャリア部の第１端部は、ベースプレートに接続され、第２ケーブルキャリア部の第１端部は、バックプレートに接続され、第１ケーブルキャリア部の第２端部と、第２ケーブルキャリア部の第２端部は、他のケーブルキャリア部、または他の接続された１以上のケーブルキャリア部の第１端部および第２端部にそれぞれ接続されており、他のケーブルキャリア部、または他の接続された１以上のケーブルキャリア部は、ケーブルを載せるケーブルキャリア面と、ケーブルキャリア面の端部から垂直に伸び、ケーブルと略平行に伸びる対向する側面を有し、対向する側面の少なくとも一つは、ケーブルの屈曲部の近傍以外の部分に、側面を有するので、ケーブルの屈曲部分の半径を小さくしてもケーブルの屈曲動作の繰り返しによるケーブル断線を防ぐことができる。更にケーブルキャリアの形状の横幅寸法を小さくすることができ、ケーブルキャリアをコンソールドロアのバックプレートに配置された電源等に接続していたのを、ケーブルキャリアをバックプレートに直接接続し、電源等をケーブルキャリアとバックプレートに囲まれた空間に移動することが可能となり、コンソールドロアの奥行き寸法を短く出来る。
【発明を実施するための最良の形態】
【００２７】
図１は、本発明の第１の実施形態のコンソールドロア１をサーバに組み込んだときのサーバの一部を省略した斜視図であり、図２（Ａ）は、コンソールドロア１の平面図を示し、図２（Ｂ）はコンソールドロア１の側面図を示す。図３（Ａ）は、モニタ１０が第２位置９にあるときの可動部１３の状態を示す図２（Ａ）のＡ-Ａ断面図であり、図３（Ｂ）は、モニタ４が第１位置８にあるときの可動部１３の状態を示す図２（Ａ）のＡ-Ａ断面図であり、図４（Ａ）は、可動部１３の分解図を示し、図４（Ｂ）は可動部１３の固定方法を示す。
【００２８】
コンソールドロア１は、対向する一対のスライド固定部２と、スライド固定部２上をスライドする一対のスライド移動部３とを有する一対のスライド部４と、一対のスライド移動部３の一対のスライド固定部２から離れた端部５を連結する、一対のスライド移動部３から略垂直に延びるフロントプレート６と、一対のスライド移動部３とフロントプレート６とに囲まれた空間を保持して、開口するように、一対のスライド移動部３とフロントプレート６に接続される、ベースプレート７と、フロントプレート６と略平行となる、第１位置８（図２Ａのモニタ１０を示す実線部を参照のこと）と、ベースプレート７と略平行となる、第２位置９（図２Ａのモニタ１０を示す破線部を参照のこと）の間を回動可能にされたモニタ１０と、を有する。一対のスライド部４は、一対のスライド部４を覆うように配置されたスライドカバー１１をそれぞれ有し、ベースプレート７とスライドカバー１１に、スライド移動部３のスライドを停止する固定ロック機構１２を更に有する。固定ロック機構１２は、ベースプレート７に配置される１以上の可動部１３と、スライドカバー１１に設けられる凹部１４と有する。可動部１３は、凹部１４と係合する凸部１５を有し、モニタ１０が、第２位置９から第１位置８に回動する際に、スライドカバー１１の方向に回動するように付勢されていて、スライドカバー１１の凹部１４と可動部１３の凸部１５が係合することにより、スライド移動部３の移動が停止する。
【００２９】
例えば、可動部１３は、図４（Ａ）と図４（Ｂ）に示すように、固定パーツ１６、可動パーツ１７、コイルバネ１８およびシャフト１９を有しており、ベースプレート７に設けられた複数のスペーサ２０に、ねじ２１で固定されている。スペーサ２０を４個以上、ベースプレート７に設けることにより、複数の可動部１３をベースプレート７に設けることが可能である。また、１個の可動部１３を、適当な位置のスペーサ２０に固定することもできる。なお、スペーサ２０は、接着材などによりベースプレート７に設けることができる。
【００３０】
コンソールドロア１によれば、モニタ１０を第１位置８に移動しない限り、固定ロック機構１２が有効にならないので、スライド移動部３を引き出すときに必ずロックされるという煩わしさがなく、スライド時の操作性を向上することができる。更に、固定ロック機構１２のＯＮ/ＯＦＦは、モニタ１０の開閉によって行うので、複雑な操作が不要となる。また、サーバーラックやコンソールドロア１の上下に配置している機器が変わったときなどには、固定ロック機構１２の可動部１３の位置を変えるだけで、モニタ１０の表示を適正な位置にすることが可能となる。更に、自動ロック解除方式のスライド部４ではないので、構造上十分な保持力を確保でき、モニタ１０を閉じないとコンソールドロア１が収納できないので、不意の動作でコンソールドロア１を誤って収納するおそれがない。
【００３１】
図５（Ａ）は、第２の実施形態のコンソールドロア１００の固定ロック機構１１２を有するスライド部１０４の部分透視図の側面図を示し、図５（Ｂ）は、第２の実施形態のコンソールドロア１００の固定ロック機構１１２を有するスライド部１０４の部分透視図の平面図を示し、図５（Ｃ）は、第２の実施形態のコンソールドロア１００の固定ロック機構１１２を有するスライド部１０４の、操作部１２２を押したときのスライド部１０４の部分透視図を示し、図５（Ｄ）は、第２の実施形態のコンソールドロア１００の固定ロック機構１０９を有するスライド部１０４の、操作部１２２を引いたときのスライド部１０４の部分透視図を示す。
【００３２】
コンソールドロア１００は、第１の実施形態と同様に、対向する一対のスライド固定部１０２と、一対のスライド固定部１０２上をスライドする一対のスライド移動部１０３とを有する一対のスライド部１０４と、一対のスライド移動部１０４のスライド固定部１０２から離れた端部１０５を連結する、一対のスライド移動部１０４から略垂直に延びるフロントプレート１０６と、一対のスライド移動部１０３とフロントプレート１０６とに囲まれた空間を保持して、開口するように、一対のスライド移動部１０４とフロントプレート１０６に接続される、ベースプレート１０７と、フロントプレート１０６と略平行となる、第１位置１０８と、ベースプレート１０７と略平行となる、第２位置１０９の間を回動可能にされたモニタ１１０と、を有する（上記の参照番号から１００を引いて図１参照のこと）。スライド移動部１０３のスライドを停止する固定ロック機構１１２を一対のスライド部１０４の一方に有し、固定ロック機構１１２は、スライド固定部１０２に配置される固定部１２３と、スライド移動部１０３に配置される、操作部１２２と回転部１２４と、を有し、操作部１２２は、回転部１２４の回転中心１２８から偏心した位置に取り付けられている。回転部１２４には、スライド移動部１０３をスライドすることにより、固定部１２３と衝突する複数の突出部１２５を有している。操作部１２２は、スライド移動部１０３がスライド固定部１０２から離れるようにスライドする方向に、スライド移動部１０３から突出しており、操作部１２２を押すことにより、回転部１２４を回転させて、固定部１２３と複数の突出部１２５とが衝突しないようにして、固定ロック機構１１２のロックを解除し、または操作部１２２を引くことにより、回転部１２４を回転させて、固定部１２３と複数の突出部１２５とが衝突しないようにして、固定ロック機構１１２のロックを解除する。
【００３３】
例えば、複数の突出部１２５は、第１ストッパー１２６と、第２ストッパー１２７でる。操作部１２２を押したり、引いたりしないときには、スライド移動部１０３をスライド固定部１０２から引き出して、固定部１２３が第１ストッパー１２６と第２ストッパー１２７の間にくると、第１ストッパー１２６と第２ストッパー１２７に衝突するため、スライド移動部１０３を押したり引いたりできなくなる。操作部１２２を押すと第１ストッパー１２６が、固定部１２３と衝突しない位置に移動するため、スライド移動部１２２をスライド固定部１０２の中に収容できる（図５（Ｃ）参照のこと）。これとは反対に、操作部１２２を引くと、第２ストッパー１２７が、固定部１２３と衝突しない位置に移動するため、スライド移動部１０３をスライド固定部１０２から取りはずことが可能となる（図５（Ｄ）参照のこと）。
【００３４】
コンソールドロア１００によれば、操作部１２２を押す、または引くことにより、固定ロック機構１１２を解除することができるので、スライド移動部１０３を引き出すときにロックされても、操作部１２２を押すまたは引くだけで簡単に固定ロック機構１１２を解除することができる。更に、固定ロック機構１１２は、スライド移動部１０３とスライド固定部１０２の内部にあるので、複雑な操作をする必要がない。更に、自動ロック解除方式のスライド部１０４ではないので、構造上十分な保持力を確保でき、不意の動作でコンソールドロア１００を誤って収納するおそれがない。
【００３５】
図６（Ａ）は、第３の実施形態のコンソールドロア２００のモニタ２１０を第２位置２０９に配置したときの図を示し、図６（Ｂ）は、コンソールドロア２００のモニタ２１０を第１位置２０８まで移動したときの図を示す。図７は、図６（Ａ）のＡ方向から見たヒンジ部２２８の詳細図を示す。
【００３６】
コンソールドロア２００は、対向する一対のスライド固定部２０２と、一対のスライド固定部２０２上をスライドする一対のスライド移動部２０３とを有する一対のスライド部２０４と、一対のスライド移動部２０３の一対のスライド固定部２０２から離れた端部２０５を連結する、一対のスライド移動部２０３から略垂直に延びるフロントプレート２０６と、一対のスライド移動部２０３とフロントプレート２０６とに囲まれた空間を保持して、開口するように、一対のスライド移動部２０４とフロントプレート２０６に接続される、ベースプレート２０７と、フロントプレート２０６と略平行となる、第１位置２０８と、ベースプレート２０７と略平行となる、第２位置２０９の間を回動可能にされたモニタ２１０と、を有する。モニタ２１０は、モニタ２１０を第２位置２０９から第１位置２０８まで自動的に回動するように付勢された一対のヒンジ部２２８を有し、フロントプレート２０６は、モニタ２１０をベースプレート２０７に固定するロック部２２９と、モニタ２１０のベースプレート２０７への固定を解除するスイッチ部２３０と、を有する。
【００３７】
例えば、ヒンジ部２２８は、図７に示すように、トーションバネ２３１と、ヒンジ側歯車２３２と、ロータリーダンパー２３３と、ヒンジ２３４と、を有する。スイッチ部２３０を押すと、ロック部２２９が、フロントプレート２０６の中に収容されて、トーションバネ２３１により、モニタ２１０が第１位置２０８まで移動する。ヒンジ側歯車２３２はロータリーダンパー２３３と連結しているため、ダンパーの抵抗力により、モニタ２１０は、ゆっくりと、滑らかな動きで、第１位置２０８まで移動することが可能である。
【００３８】
コンソールドロア２００によれば、スイッチ部２３０を押すだけで、簡単にモニタ２１０を第２位置２０９から第１位置２０８まで移動することができる。更に、モニタ２１０には、第１位置２０８まで回動しようとする力が常に働いているので、モニタ２１０を第２位置２０９に移動するように力を加える際に、モニタ２１０の下に配置されるキーボード２３４に負荷がかかりにくい。
【００３９】
図８は、本発明のケーブルキャリア１０００を有するコンソールドロア１００１の平面図を示し、図９は、ケーブルキャリア１０００の斜視図を示す。
【００４０】
コンソールドロア１００１は、対向する一対のスライド固定部１００２と、一対のスライド固定部１００２上をスライドする一対のスライド移動部１００３とを有する一対のスライド部１００４と、一対のスライド移動部１００３のスライド固定部１００２から離れた端部１００５を連結する、一対のスライド移動部１００３から略垂直に延びるフロントプレート１００６と、一対のスライド移動部１００３とフロントプレート１００６とに囲まれた空間を保持して、開口するように、一対のスライド移動部１００３とフロントプレート１００６に接続される、ベースプレート１００７と、一対のスライド固定部１００２のスライド移動部１００３から離れた端部１０５１を連結する、一対のスライド固定部１００２から略垂直に延びるバックプレート１０３５と、を有する。ベースプレート１００７と、バックプレート１０３５とを繋ぐケーブル１０３６を支える３以上のケーブルキャリア部１０３７を有し、第１ケーブルキャリア部１０３８の第１端部１０３９は、ベースプレート１００７に接続され、第２ケーブルキャリア部１０４０の第１端部１０４１は、バックプレート１０３５に接続され、第１ケーブルキャリア部１０３８の第２端部１０４２と、第２ケーブルキャリア部１０４０の第２端部１０４３は、他のケーブルキャリア部１０４４、または他の接続された１以上のケーブルキャリア部１０４４の第１端部１０４５および第２端部１０４６にそれぞれ接続されている。他のケーブルキャリア部１０４４、または他の接続された１以上のケーブルキャリア部１０４４は、ケーブル１０３６を載せるケーブルキャリア面１０４７と、ケーブルキャリア面１０４７の端部から垂直に伸び、ケーブル１０３６と略平行に伸びる対向する側面１０４８を有する。対向する側面１０４８の少なくとも一つは、ケーブル１０３６の屈曲部１０４９の近傍以外の部分に、側面１０４８を有する。
【００４１】
ケーブルキャリア１０００によれば、ケーブル１０３６の屈曲部１０４９の半径を小さくしてもケーブル１０３６の屈曲動作の繰り返しによるケーブル断線を防ぐことができる。更にケーブルキャリア１０００の形状の横幅寸法を小さくすることができ、ケーブルキャリア１０００をコンソールドロア１００１のバックプレート１０３５に配置された電源等１０５０に接続していたのを、ケーブルキャリア１０００をバックプレート１０３５に直接接続し、電源等１０５０をケーブルキャリア１０００とバックプレート１０３５に囲まれた空間に移動することが可能となり、コンソールドロア１００１の奥行き寸法を短く出来る。
【図面の簡単な説明】
【００４２】
【図１】図１は、本発明の第１の実施形態のコンソールドロア１をサーバに組み込んだときのサーバの一部を省略した斜視図である。
【図２】図２（Ａ）は、コンソールドロア１の平面図を示し、図２（Ｂ）はコンソールドロア１の側面図を示す。
【図３】図３（Ａ）は、コンソールドロア１の第２位置９にモニタ１０があるときの可動部１３の状態を示す図２（Ａ）の（Ａ）-（Ａ）断面図であり、図３（Ｂ）は、モニタ１０が第１位置８にあるときの可動部１３の状態を示す図２（Ａ）の（Ａ）-（Ａ）断面図である。
【図４】図４（Ａ）は、可動部１３の分解図を示し、図４（Ｂ）は可動部１３の固定方法を示す。
【図５】図５（Ａ）は、第２の実施形態のコンソールドロア１００の固定ロック機構１１２を有するスライド部１０４の部分透視図の側面図を示し、図５（Ｂ）は、第２の実施形態のコンソールドロア１００の固定ロック機構１１２を有するスライド部１０４の部分透視図の平面図を示し、図５（Ｃ）は、第２の実施形態のコンソールドロア１００の固定ロック機構１１２を有するスライド部１０４の、操作部１２２を押したときのスライド部１０４の部分透視図を示し、図５（Ｄ）は、第２の実施形態のコンソールドロア１００の固定ロック機構１１２を有するスライド部１０４の、操作部１２２を引いたときのスライド部１０４の部分透視図を示す。
【図６】図６（Ａ）は、第３の実施形態のコンソールドロア２００のモニタ２１０を第２位置２０９に配置したときの図を示し、図６（Ｂ）は、コンソールドロア２００のモニタ２０４を第１位置２０８まで移動したときの図を示す。
【図７】図６（Ａ）のヒンジ部の詳細図を示す。
【図８】本発明のケーブルキャリア１０００を有するコンソールドロア１００１の平面図を示す。
【図９】ケーブルキャリア１０００の斜視図を示す。
【符号の説明】
【００４３】
１    コンソールドロア
２    スライド固定部
３    スライド移動部
４    スライド部
５    スライド固定部２から離れた端部
６    フロントプレート
７    ベースプレート
８    第１位置
９    第２位置
１０    モニタ
１１    スライドカバー
１２    固定ロック機構
１３    可動部
１４    凹部
１５    凸部
【図１】
2009104398.tif 000003
【図２】
2009104398.tif 000004
【図３】
2009104398.tif 000005
【図４】
2009104398.tif 000006
【図５】
2009104398.tif 000007
【図６】
2009104398.tif 000008
【図７】
2009104398.tif 000009
【図８】
2009104398.tif 000010
【図９】
2009104398.tif 000011